(57)【要約】      （修正有）【課題】ペン先チップの表面及び裏面を用いて書くことができる万年筆を提供する。【解決手段】万年筆は、インク出力機構１と、インク出力機構１を固定するために用いる胴軸握持機構２とを備える。インク出力機構１は、ペン先部材１１及びペン先１２を有する。ペン先部材１１は、ペン先チップ１１１と、ペン先チップ１１１の頂端に形成されたペンポイント１１２とを含む。ペンポイント１１２は、ペン先表面接触部と、ペン先裏面接触部と、ペン先表面接触部とペン先裏面接触部とを連通させるインク出力チャネルとを含む。ペン先チップ１１１は、インク出力チャネルと連通したインク案内路１１１１を有する。ペン先１２は、インク導入部及びインク排出部１２２を含む。【選択図】図１
0003178247.tif 000002
【実用新案登録請求の範囲】
【請求項１】
インク出力機構と、前記インク出力機構を固定するために用いる胴軸握持機構と、を備えた、ペン先チップの表面及び裏面を用いて書くことができる万年筆であって、
前記インク出力機構は、ペン先部材及びペン先を有し、
前記ペン先部材は、前記ペン先チップと、前記ペン先チップの頂端に形成されたペンポイントと、を含み、前記ペンポイントは、ペン先表面接触部と、ペン先裏面接触部と、前記ペン先表面接触部と前記ペン先裏面接触部とを連通させるインク出力チャネルと、を含み、前記ペン先チップは、前記インク出力チャネルと連通したインク案内路を有し、
前記ペン先は、インク導入部及びインク排出部を含み、前記インク導入部は、前記胴軸握持機構中に配置され、前記インク排出部は、前記ペン先チップの前記インク案内路に接続されてなることを特徴とするペン先チップの表面及び裏面を用いて書くことができる万年筆。
【請求項２】
前記ペン先部材は、前記ペン先チップ上に設けられたガイド貫通孔を含み、
前記インク案内路の端部には、前記ガイド貫通孔が連通されることを特徴とする請求項１に記載のペン先チップの表面及び裏面を用いて書くことができる万年筆。
【請求項３】
前記ペン先表面接触部及び前記ペン先裏面接触部は、前記インク出力チャネルの両側出口に形成された１対の円弧状平滑接触面をそれぞれ有することを特徴とする請求項１に記載のペン先チップの表面及び裏面を用いて書くことができる万年筆。
【請求項４】
前記円弧状平滑接触面の円弧状となる曲面の全長は、前記ペンポイントの円周表面の全長の４分の１であることを特徴とする請求項３に記載のペン先チップの表面及び裏面を用いて書くことができる万年筆。
【請求項５】
前記ペン先表面接触部及び前記ペン先裏面接触部中に形成された前記インク出力チャネルの開口角度θは０°２０’０’’〜 ０°３０’０’’の範囲であることを特徴とする請求項１に記載のペン先チップの表面及び裏面を用いて書くことができる万年筆。
【請求項６】
前記ペン先は、インク流通部材を含み、
前記インク流通部材の両端には、前記インク導入部及び前記インク排出部がそれぞれ接続されてなることを特徴とする請求項１に記載のペン先チップの表面及び裏面を用いて書くことができる万年筆。
【請求項７】
前記胴軸握持機構は、胴軸穿設部材と、前記胴軸穿設部材に結合された胴軸握持部材と、を含み、
前記胴軸穿設部材は、前記インク出力機構を固定するために用いることを特徴とする請求項１に記載のペン先チップの表面及び裏面を用いて書くことができる万年筆。
【請求項８】
前記胴軸握持機構は、前記胴軸穿設部材及び前記胴軸握持部材中に配置されたインク貯蔵部材を含み、
前記インク貯蔵部材の端部は、前記ペン先の前記インク導入部に連通することを特徴とする請求項７に記載のペン先チップの表面及び裏面を用いて書くことができる万年筆。
【考案の詳細な説明】
【技術分野】
【０００１】
本考案は、万年筆の設計に関し、特に、ペン先チップの表面及び裏面を用いて書くことができる万年筆に関する。
【背景技術】
【０００２】
一般に万年筆は、公文書、一般の文書などに文字や絵などを書いたり、書類に署名したりするときに使用される。従来の万年筆のペン先構造は、胴軸、ペン芯及びペン先チップから構成される。ペン芯は、前端に三角形状のペン先部が形成され、後端に接合部が形成されているのが一般的である。ペン芯は、本体表面に設けられた複数の環状通気性フィンと、本体の上下表面に設けられたインクの容量レベルを示すラインと、通気溝と、を有する。ペン先部は、ペン芯の前端に設けられたペン先の上面に貼着され、ペン芯及びペン先部へ軸筒を外嵌して一体化させた後、万年筆のペン先の後端にインクカートリッジを挿し込んで胴軸を結合させ、書く機能を得ていた。
【０００３】
しかし、従来の万年筆構造から分かるように、ペン先部のペン先設計が制限を受け、表面のペン先部の前端に設けられたスリットが、万年筆で書く際にインクが流れ出るチャネルとして用いられ、裏面のペン先前端に筆圧が加わると、スリットが閉じて毛細作用が失われてインクが出なくなり、ユーザは、ペン芯が設けられた側のペン先部の表面側でしか書くことができず、ペンを反転させてペン芯が設けられていない側のペン先部の裏面を用いて書くことはできなかった。このように一方の側でしか書くことができない万年筆は、長時間使用した場合、ペン先部に加わる力により金属疲労が発生し、最悪の場合、ペン先部が割れたり変形したりして書くことができなくなる虞がある。
【０００４】
さらに、従来技術において、万年筆のペン先部が紙面に接触される部分には、研磨による滑処理が施されておらず、ペン先部のペンポイントの部分が粗いため、ユーザが実際に使用する際、加える力が強すぎたり不均一になったりすると、ペンポイントにより紙面を引っ掻いたり、インクが詰まって出なくなったりする虞がある。
【０００５】
上述したことから分かるように、従来の万年筆のペン先部が実用性及び利便性に悪影響を与える設計となっていたため、従来の万年筆の構造には改良が求められていた。
【考案の概要】
【考案が解決しようとする課題】
【０００６】
本考案の目的は、従来の万年筆の問題点を解決することができるペン先チップの表面及び裏面を用いて書くことができる万年筆を提供することにある。
【課題を解決するための手段】
【０００７】
上記課題を解決するために、本考案の第１の形態によれば、インク出力機構と、前記インク出力機構を固定するために用いる胴軸握持機構と、を備えた、ペン先チップの表面及び裏面を用いて書くことができる万年筆であって、前記インク出力機構は、ペン先部材及びペン先を有し、前記ペン先部材は、前記ペン先チップと、前記ペン先チップの頂端に形成されたペンポイントと、を含み、前記ペンポイントは、ペン先表面接触部と、ペン先裏面接触部と、前記ペン先表面接触部と前記ペン先裏面接触部とを連通させるインク出力チャネルと、を含み、前記ペン先チップは、前記インク出力チャネルと連通したインク案内路を有し、前記ペン先は、インク導入部及びインク排出部を含み、前記インク導入部は、前記胴軸握持機構中に配置され、前記インク排出部は、前記ペン先チップの前記インク案内路に接続されてなることを特徴とするペン先チップの表面及び裏面を用いて書くことができる万年筆が提供される。
【０００８】
前記ペン先部材は、前記ペン先チップ上に設けられたガイド貫通孔を含み、前記インク案内路の端部には、前記ガイド貫通孔が連通されることが好ましい。
【０００９】
前記ペン先表面接触部及び前記ペン先裏面接触部は、前記インク出力チャネルの両側出口に形成された１対の円弧状平滑接触面をそれぞれ有することが好ましい。
【００１０】
前記円弧状平滑接触面の円弧状となる曲面の全長は、前記ペンポイントの円周表面の全長の４分の１であることが好ましい。
【００１１】
前記ペン先表面接触部及び前記ペン先裏面接触部中に形成された前記インク出力チャネルの開口角度θは０°２０’０’’〜 ０°３０’０’’の範囲であることが好ましい。
【００１２】
前記ペン先は、インク流通部材を含み、前記インク流通部材の両端には、前記インク導入部及び前記インク排出部がそれぞれ接続されてなることが好ましい。
【００１３】
前記胴軸握持機構は、胴軸穿設部材と、前記胴軸穿設部材に結合された胴軸握持部材と、を含み、前記胴軸穿設部材は、前記インク出力機構を固定するために用いることが好ましい。
【００１４】
前記胴軸握持機構は、前記胴軸穿設部材及び前記胴軸握持部材中に配置されたインク貯蔵部材を含み、前記インク貯蔵部材の端部は、前記ペン先の前記インク導入部に連通することが好ましい。
【考案の効果】
【００１５】
本考案のペン先チップの表面及び裏面を用いて書くことができる万年筆は、以下（１）及び（２）の効果を有する。
（１）万年筆のペン先チップの頂端にはペンポイントが形成され、このペンポイントがペン先表面接触部と、ペン先裏面接触部と、ペン先表面接触部とペン先裏面接触部とを連通するインク出力チャネルとを含むため、ペン先チップの表面及び裏面を用いて書くことができる上、インク出力チャネルの角度を利用することにより、細い筆跡及び太い筆跡の２種類で書くことができる。さらに、本考案の万年筆は、従来技術の万年筆と異なり、ペン先の片面だけを用いて長時間書くことにより、ペン先部のペンポイントに力が加わってペン先部に金属疲労が発生し、ペンポイントが割れたり変形したりして書く機能が失われることを防ぐことができる。
（２）ペンポイントのペン先表面接触部及びペン先裏面接触部のインク出力チャネルの出口両側には、１対の円弧状平滑接触面Ａ１，Ａ２が形成され、研磨処理されて形成された平滑曲面の接触面を有するため、従来の万年筆のペン先では、研磨処理されていないために加える力が強すぎたり不均一になったりし、ペンポイントにより紙面が引っ掻かれたり、インクが詰まって出なくなったりすることを防ぐことができる。
【図面の簡単な説明】
【００１６】
【図１】本考案の一実施形態に係るペン先チップの表面及び裏面を用いて書くことができる万年筆を示す斜視図である。
【図２】本考案の一実施形態に係るペン先チップの表面及び裏面を用いて書くことができる万年筆を示す分解斜視図である。
【図３】（Ａ）本考案の一実施形態に係るペン先チップの表面及び裏面を用いて書くことができる万年筆を示す平面図である。（Ｂ）本考案の一実施形態に係るペン先チップの表面及び裏面を用いて書くことができる万年筆を示す側面図である。（Ｃ）本考案の一実施形態に係るペン先チップの表面及び裏面を用いて書くことができる万年筆を示す平面図である。
【図４】本考案の一実施形態に係るペン先チップの表面及び裏面を用いて書くことができる万年筆を示す部分拡大図である。
【図５】（Ａ）本考案の一実施形態に係るペン先チップの表面及び裏面を用いて書くことができる万年筆を使用するときの状態を示す模式図（１）である。（Ｂ）本考案の一実施形態に係るペン先チップの表面及び裏面を用いて書くことができる万年筆を使用するときの状態を示す模式図（２）である。
【考案を実施するための形態】
【００１７】
以下、本考案の実施形態について図に基づいて説明する。なお、これによって本考案が限定されるものではない。
【００１８】
図１〜図４を参照する。図１は、本考案の一実施形態に係るペン先チップの表面及び裏面を用いて書くことができる万年筆を示す斜視図である。図２は、本考案の一実施形態に係るペン先チップの表面及び裏面を用いて書くことができる万年筆を示す分解斜視図である。図３（Ａ）は、本考案の一実施形態に係るペン先チップの表面及び裏面を用いて書くことができる万年筆を示す平面図である。図３（Ｂ）は、本考案の一実施形態に係るペン先チップの表面及び裏面を用いて書くことができる万年筆を示す側面図である。図３（Ｃ）は、本考案の一実施形態に係るペン先チップの表面及び裏面を用いて書くことができる万年筆を示す平面図である。図４は、本考案の一実施形態に係るペン先チップの表面及び裏面を用いて書くことができる万年筆を示す部分拡大図である。
【００１９】
本考案の一実施形態に係るペン先チップの表面及び裏面を用いて書くことができる万年筆１００は、インク出力機構１と、インク出力機構１を固定するために用いる胴軸握持機構２と、を含む。インク出力機構１は、ペン先部材１１及びペン先１２を含む。ペン先部材１１は、ペン先チップ１１１と、ペン先チップ１１１の頂端に形成されたペンポイント１１２と、ペン先チップ１１１上に設けられたガイド貫通孔１１３と、を含む。ペンポイント１１２は、ペン先表面接触部１１２１と、ペン先裏面接触部１１２２と、ペン先表面接触部１１２１とペン先裏面接触部１１２２とを連通させるインク出力チャネル１１２３と、を含む。ペン先チップ１１１は、インク出力チャネル１１２３と連通したインク案内路１１１１を有し、インク案内路１１１１の端部には、ガイド貫通孔１１３が連通されている。ガイド貫通孔１１３は通気穴であり、この通気穴は、空気を通して圧力のバランスをとること以外に、応力が集中してペン先部のスリットの隙間が大きくなることを防ぐために用いる。さらに、インク出力チャネル１１２３及びインク案内路１１１１は、肉眼で観察すると分かるように非常に小さな隙間であり、この隙間の毛細作用によりインクを安定的に供給することができる。
【００２０】
本実施形態のペンポイント１１２のペン先表面接触部１１２１及びペン先裏面接触部１１２２は、インク出力チャネル１１２３の出口両側に形成された１対の円弧状平滑接触面Ａ１，Ａ２を有する。この円弧状平滑接触面Ａ１，Ａ２の表面は、研磨処理されて平滑曲面が形成され、研磨幅が約０．３３ｍｍの弧面を有する。さらに、円弧状平滑接触面Ａ１，Ａ２の円弧状となる曲面の全長は、ペンポイント１１２の円周表面の全長の約４分の１である。ペン先表面接触部１１２１及びペン先裏面接触部１１２２中のインク出力チャネル１１２３の開口角度θは約０°２０’０’’〜 ０°３０’０’’の範囲であり、その開口角度θは、一方の端部から他方の端部にかけて角度が次第に小さくなり、この構造の作用により、このインク出力チャネル１１２３からインクが流れ出るとき、開口角度θの一方の端部に筆圧が加わらないため、インク出力チャネル１１２３が閉じられる（毛細管作用が失われてインクが出ない）。上述のそれぞれの数値（例えば、研磨幅が０．０３ｍｍ、開口角度θが０°２０’０’’〜 ０°３０’０’’の範囲である）は実際に測定して得た最適な数値であるが、当業者であれば容易に分かるように、その他近い数値でもよく、ここでは単に最適な実施例を例示しているだけである。
【００２１】
また、ペン先１２は、インク導入部１２１、インク排出部１２２及びインク流通部材１２３を含む。インク流通部材１２３の両端には、インク導入部１２１及びインク排出部１２２がそれぞれ接続されている。インク導入部１２１は、胴軸握持機構２中に配置され、インク排出部１２２は、ペン先チップ１１１のインク案内路１１１１に接続される。図２に示すように、胴軸握持機構２は、胴軸穿設部材２１と、胴軸穿設部材２１に結合された胴軸握持部材２２と、を含み、胴軸穿設部材２１は、インク出力機構１を固定するために用いる。さらに胴軸握持機構２は、胴軸穿設部材２１及び胴軸握持部材２２中に配置されたインク貯蔵部材２３を含む。インク貯蔵部材２３の端部は、ペン先１２のインク導入部１２１に連通する。
【００２２】
図５（Ａ）及び図５（Ｂ）を参照する。図５（Ａ）は、本考案の一実施形態に係るペン先チップの表面及び裏面を用いて書くことができる万年筆を使用するときの状態を示す模式図（１）である。図５（Ｂ）は、本考案の一実施形態に係るペン先チップの表面及び裏面を用いて書くことができる万年筆を使用するときの状態を示す模式図（２）である。本実施形態のペン先チップの表面及び裏面を用いて書くことができる万年筆１００を利用し、ユーザＵがペン先チップの表面を用いて書くとき、インク貯蔵部材２３中に貯蔵されているインクが、ペン先１２のインク導入部１２１から導入され、インク流通部材１２３からインク排出部１２２に流通された後、インク案内路１１１１を介してペン先表面接触部１１２１中のインク出力チャネル１１２３に流れる。同様に、ペン先チップの裏面を用いて書くときは、インク貯蔵部材２３中に貯蔵されているインクが、ペン先１２のインク導入部１２１から導入され、インク流通部材１２３からインク排出部１２２に流通された後、インク案内路１１１１を介してペン先裏面接触部１１２２中のインク出力チャネル１１２３に流れる。ペン先表面接触部１１２１及びペン先裏面接触部１１２２は、インク出力チャネル１１２３の開口角度の大きさが異なるため（即ち、ペン先表面接触部１１２１中のインク出力チャネル１１２３の開口角度が小さく、ペン先裏面接触部１１２２中のインク出力チャネル１１２３の開口角度が大きいため）、本実施形態ではペン先チップの裏面を用いて書く際、筆圧を受けて（即ち、インク出力チャネル１１２３が閉じられ）インクが出なくなることを防ぐことができる。
【００２３】
本実施形態を詳細に説明すると、ペンポイント１１２のペン先表面接触部１１２１は、研磨によりその接触面積が大きくなっているため、書き出す筆跡が太く（即ち、ペン先表面接触部１１２１の接触面積が大きく、ペン先裏面接触部１１２２の接触面積が自然に小さくなるため、ペン先チップの裏面を用いて書いた筆跡が自然と細くなり）、反対方向に操作することが可能であるため、太い筆跡及び細い筆跡の２種類の太さで書くことができる。
【００２４】
上述の操作を行うことにより、筆跡の太さを３種類選択することができる。例えば、（１）ペン先表面接触部１１２１の研磨面積が大きくなって筆跡が太くなる；ペン先裏面接触部１１２２が自然に尖り、接触面積が小さくなって筆跡が細くなる。（２）ペン先裏面接触部１１２２の研磨面積が大きくなって筆跡が太くなる；ペン先表面接触部１１２１が自然に尖り、接触面積が小さくなって筆跡が細くなる。（３）ペン先裏面接触部１１２２の研磨面積がペン先表面接触部１１２１の研磨面積と等しくなり、筆跡の太さが同じになる。
【００２５】
上述したことから分かるように、本考案のペン先チップの表面及び裏面を用いて書くことができる万年筆は、筆跡の太さがインクの量により決められるのではなく、ペンポイントが紙に接触する面積の大きさにより決められる。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１  インク出力機構
２  胴軸握持機構
１１  ペン先部材
１２  ペン先
２１  胴軸穿設部材
２２  胴軸握持部材
２３  インク貯蔵部材
１００  万年筆
１１１  ペン先チップ
１１２  ペンポイント
１１３  ガイド貫通孔
１２１  インク導入部
１２２  インク排出部
１２３  インク流通部材
１１１１  インク案内路
１１２１  ペン先表面接触部
１１２２  ペン先裏面接触部
１１２３  インク出力チャネル
Ａ１  円弧状平滑接触面
Ａ２  円弧状平滑接触面
Ｕ  ユーザ
θ  開口角度
【図１】
0003178247.tif 000003
【図２】
0003178247.tif 000004
【図３】
0003178247.tif 000005
【図４】
0003178247.tif 000006
【図５】
0003178247.tif 000007
【手続補正書】
【提出日】平成24年7月17日(2012.7.17)
【手続補正１】
【補正対象書類名】明細書
【補正対象項目名】００２０
【補正方法】変更
【補正の内容】
【００２０】
本実施形態のペンポイント１１２のペン先表面接触部１１２１及びペン先裏面接触部１１２２は、インク出力チャネル１１２３の出口両側に形成された１対の円弧状平滑接触面Ａ１，Ａ２を有する。この円弧状平滑接触面Ａ１，Ａ２の表面は、研磨処理されて平滑曲面が形成され、研磨幅が約０．３３ｍｍの弧面を有する。さらに、円弧状平滑接触面Ａ１，Ａ２の円弧状となる曲面の全長は、ペンポイント１１２の円周表面の全長の約４分の１である。ペン先表面接触部１１２１及びペン先裏面接触部１１２２中のインク出力チャネル１１２３の開口角度θは約０°２０’０’’〜 ０°３０’０’’の範囲であり、その開口角度θは、一方の端部から他方の端部にかけて角度が次第に小さくなり、この構造の作用により、このインク出力チャネル１１２３からインクが流れ出るとき、開口角度θの一方の端部に筆圧を受けてインク出力チャネルが閉じられる（毛細作用が失われてインクが出なくなる）ことを防ぐことができる。上述のそれぞれの数値（例えば、研磨幅が０．０３ｍｍ、開口角度θが０°２０’０’’〜 ０°３０’０’’の範囲である）は実際に測定して得た最適な数値であるが、当業者であれば容易に分かるように、その他近い数値でもよく、ここでは単に最適な実施例を例示しているだけである。